【手続補正書】
【提出日】平成24年11月12日(2012.11.12)
【手続補正１】
【補正対象書類名】特許請求の範囲
【補正対象項目名】全文
【補正方法】変更
【補正の内容】
【特許請求の範囲】
【請求項１】
（ａ）ヒドロキシカルボン酸の誘導体と（ｂ）潤滑粘度の油とを含む潤滑組成物をリミテッドスリップディファレンシャルに供給することを含む、該リミテッドスリップディファレンシャルを潤滑する方法であって、
前記ヒドロキシカルボン酸の誘導体は、式１ａ又は１ｂ： 
【化１】
2012511593.tif 000001
（式中、
ｎ’は、式（１ｂ）では０から１０、式（１ａ）では１から１０であり、
ｐは１から５であり、
Ｙ及びＹ’は独立に、−Ｏ−、＞ＮＨ、＞ＮＲ３、又は（１ｂ）中のＹとＹ’基の両方若しくは（１ａ）中の２個のＹ基が一緒になって２個の＞Ｃ＝Ｏ基の間にＲ１−Ｎ＜基を形成することによって形成されるイミド基であり、
Ｘは独立に、−ＣＨ２−、＞ＣＨＲ４、＞ＣＲ４Ｒ５、＞ＣＨＯＲ６、＞Ｃ（ＯＨ）ＣＯ２Ｒ６、＞Ｃ（ＣＯ２Ｒ６）２、−ＣＨ３、−ＣＨ２Ｒ４若しくはＣＨＲ４Ｒ５、−ＣＨ２ＯＲ６、−ＣＨ（ＣＯ２Ｒ６）２、≡Ｃ−Ｒ６（式中、≡は３原子価に等しく、式（１ａ）にのみ適用することができる。）、又はその混合物であり、式（１ａ）及び／又は（１ｂ）の原子価を満たし（典型的には、式（１ａ）又は（１ｂ）の化合物は、ヒドロキシルを含有する少なくとも１個のＸを有する（すなわち、＞ＣＨＯＲ６、式中、Ｒ６は水素である。）。）、
Ｒ１及びＲ２は独立に、典型的には１から１５０、又は４から３０、又は８から１５個の炭素原子を含む、ヒドロカルビル基であり、
Ｒ３はヒドロカルビル基であり、
Ｒ４及びＲ５は独立に、ケト含有基、エステル基又はヒドロカルビル基、又は−ＯＲ６、又は−ＣＯ２Ｒ６、又は−ＯＨであり、
Ｒ６は独立に、典型的には１から１５０、又は４から３０、又は８から１５個の炭素原子を含む、水素又はヒドロカルビル基である。）
で表わされる、方法。
【請求項２】
前記ヒドロキシカルボン酸の誘導体がヒドロキシポリカルボン酸の誘導体である、請求項１に記載の方法。
【請求項３】
前記ヒドロキシポリカルボン酸の誘導体が、ヒドロキシカルボン酸ジエステル、ヒドロキシカルボン酸ジアミド、ヒドロキシカルボン酸イミド、ヒドロキシカルボン酸ジイミド、ヒドロキシカルボン酸エステルアミド、ヒドロキシカルボン酸エステルイミド及びヒドロキシカルボン酸イミドアミドからなる群から選択される、請求項２に記載の方法。
【請求項４】
前記ヒドロキシポリカルボン酸の誘導体が、ヒドロキシカルボン酸イミド、ヒドロキシカルボン酸ジイミド、ヒドロキシカルボン酸エステルイミド及びヒドロキシカルボン酸イミドアミドからなる群から選択される、先行する請求項２から３のいずれかに記載の方法。
【請求項５】
前記ヒドロキシポリカルボン酸の誘導体が、ヒドロキシカルボン酸イミド及びヒドロキシカルボン酸ジイミドからなる群から選択される、先行する請求項２から４のいずれかに記載の方法。
【請求項６】
前記ヒドロキシポリカルボン酸の誘導体が、酒石酸の誘導体、クエン酸のイミド誘導体、又はその混合物である、先行する請求項２から５のいずれかに記載の方法。
【請求項７】
前記ヒドロキシポリカルボン酸の誘導体が、酒石酸のイミド誘導体、クエン酸のイミド誘導体、又はその混合物である、先行する請求項２から６のいずれかに記載の方法。
【請求項８】
前記ヒドロキシポリカルボン酸の誘導体が、酒石酸のイミド誘導体又はその混合物である、先行する請求項２から７のいずれかに記載の方法。
【請求項９】
前記ヒドロキシカルボン酸の誘導体が、前記潤滑組成物の０．１重量％から５重量％、又は０．２重量％から３重量％、又は０．２重量％超から３重量％の範囲の量で存在する、先行する請求項１から８のいずれかに記載の方法。
【請求項１０】
硫黄含有化合物を更に含む、先行する請求項１から９のいずれかに記載の方法。
【請求項１１】
前記硫黄含有化合物が、ジメルカプトチアジアゾール若しくは誘導体又はその混合物である、請求項１０に記載の方法。
【請求項１２】
前記硫黄含有化合物が、ポリスルフィド又は硫化オレフィンである、請求項１０に記載の方法。
【請求項１３】
前記潤滑組成物がリン含有化合物を更に含み、前記リン含有化合物がリン酸エステルのアミン塩である、先行する請求項１から１２のいずれかに記載の方法。
【請求項１４】
前記リン酸エステルのアミン塩が、（ｉ）リン酸のヒドロキシ置換ジエステル又は（ｉｉ）リン酸化されたリン酸のヒドロキシ置換ジエステル若しくはリン酸化されたリン酸のヒドロキシ置換トリエステル、のどちらかのアミン塩である、請求項１３に記載の方法。
【請求項１５】
前記潤滑組成物がホウ素含有化合物を更に含み、前記ホウ素含有化合物が、ホウ酸化分散剤、ホウ酸エステル又はホウ酸化リン脂質である、先行する請求項１から１４のいずれかに記載の方法。
【請求項１６】
前記ヒドロキシカルボン酸は、モノヒドロキシモノカルボン酸を含む、請求項１に記載の方法。
【請求項１７】
前記モノヒドロキシモノカルボン酸は、グリコール酸を含む、請求項１６に記載の方法。
【請求項１８】
前記ヒドロキシカルボン酸の誘導体は、アミドである、請求項１に記載の方法。
【手続補正２】
【補正対象書類名】明細書
【補正対象項目名】０００７
【補正方法】変更
【補正の内容】
【０００７】
一実施形態においては、本発明は、リミテッドスリップディファレンシャルにおいて許容レベルの（ｉ）潤滑剤熱安定性、（ｉｉ）潤滑剤酸化安定性、（ｉｉｉ）摩擦係数、（ｉｖ）燃費、（ｖ）付着抑制、（ｖｉ）シール適合性、及び（ｖｉｉ）チャタリング（異音）の少なくとも１つをもたらすための、（ａ）ヒドロキシカルボン酸の誘導体（又はヒドロキシカルボン酸から誘導される化合物）と（ｂ）潤滑粘度の油とを含む潤滑組成物の使用を提供する。一実施形態においては、前記使用は、許容レベルの摩擦係数をもたらす。
例えば、本発明は以下の項目を提供する。
（項目１）
（ａ）ヒドロキシカルボン酸の誘導体と（ｂ）潤滑粘度の油とを含む潤滑組成物をリミテッドスリップディファレンシャルに供給することを含む、該リミテッドスリップディファレンシャルを潤滑する方法。
（項目２）
前記ヒドロキシカルボン酸の誘導体がヒドロキシポリカルボン酸の誘導体である、項目１に記載の方法。
（項目３）
前記ヒドロキシポリカルボン酸の誘導体が、ヒドロキシカルボン酸ジエステル、ヒドロキシカルボン酸ジアミド、ヒドロキシカルボン酸イミド、ヒドロキシカルボン酸ジイミド、ヒドロキシカルボン酸エステルアミド、ヒドロキシカルボン酸エステルイミド及びヒドロキシカルボン酸イミドアミドからなる群から選択される、項目２に記載の方法。
（項目４）
前記ヒドロキシポリカルボン酸の誘導体が、ヒドロキシカルボン酸イミド、ヒドロキシカルボン酸ジイミド、ヒドロキシカルボン酸エステルイミド及びヒドロキシカルボン酸イミドアミドからなる群から選択される、先行する項目２から３のいずれかに記載の方法。
（項目５）
前記ヒドロキシポリカルボン酸の誘導体が、ヒドロキシカルボン酸イミド及びヒドロキシカルボン酸ジイミドからなる群から選択される、先行する項目２から４のいずれかに記載の方法。
（項目６）
前記ヒドロキシポリカルボン酸の誘導体が、酒石酸の誘導体、クエン酸のイミド誘導体、又はその混合物である、先行する項目２から５のいずれかに記載の方法。
（項目７）
前記ヒドロキシポリカルボン酸の誘導体が、酒石酸のイミド誘導体、クエン酸のイミド誘導体、又はその混合物である、先行する項目２から６のいずれかに記載の方法。
（項目８）
前記ヒドロキシポリカルボン酸の誘導体が、酒石酸のイミド誘導体又はその混合物である、先行する項目２から７のいずれかに記載の方法。
（項目９）
前記ヒドロキシカルボン酸の誘導体が、前記潤滑組成物の０．１重量％から５重量％、又は０．２重量％から３重量％、又は０．２重量％超から３重量％の範囲の量で存在する、先行する項目１から８のいずれかに記載の方法。
（項目１０）
硫黄含有化合物を更に含む、先行する項目１から９のいずれかに記載の方法。
（項目１１）
前記硫黄含有化合物が、ジメルカプトチアジアゾール若しくは誘導体又はその混合物である、項目１０に記載の方法。
（項目１２）
前記硫黄含有化合物が、ポリスルフィド又は硫化オレフィンである、項目１０に記載の方法。
（項目１３）
前記潤滑組成物がリン含有化合物を更に含む、先行する項目１から１２のいずれかに記載の方法。
（項目１４）
前記リン含有化合物がリン酸エステルのアミン塩である、項目１３に記載の方法。
（項目１５）
前記リン酸エステルのアミン塩が、（ｉ）リン酸のヒドロキシ置換ジエステル又は（ｉｉ）リン酸化されたリン酸のヒドロキシ置換ジエステル若しくはリン酸化されたリン酸のヒドロキシ置換トリエステル、のどちらかのアミン塩である、項目１４に記載の方法。
（項目１６）
前記潤滑組成物がホウ素含有化合物を更に含む、先行する項目１から１５のいずれかに記載の方法。
（項目１７）
前記ホウ素含有化合物が、ホウ酸化分散剤、ホウ酸エステル又はホウ酸化リン脂質である、項目１６に記載の方法。
（項目１８）
前記潤滑組成物が、０．３重量％から５重量％、又は０．８重量％から２．５重量％の範囲の硫黄含有量を有する、先行する項目１から１７のいずれかに記載の方法。
（項目１９）
前記潤滑組成物がトップ処理濃縮物である、先行する項目１から１８のいずれかに記載の方法。
（項目２０）
前記潤滑組成物が完全調合済み流体である、先行する項目１から１９のいずれかに記載の方法。
（項目２１）
許容レベルの（ｉ）潤滑剤熱安定性、（ｉｉ）潤滑剤酸化安定性、（ｉｉｉ）摩擦係数、（ｉｖ）燃費、（ｖ）付着抑制、（ｖｉ）シール適合性、（ｖｉｉ）清浄度、及び（ｖｉｉｉ）チャタリング（異音）の少なくとも１つを提供するための、リミテッドスリップディファレンシャルにおける先行する項目１から１９のいずれかに記載のヒドロキシカルボン酸の誘導体の使用。
（項目２２）
許容レベルの摩擦を提供するための、リミテッドスリップディファレンシャルにおける任意の先行する項目１から１９に記載のヒドロキシカルボン酸の誘導体の使用。